(57)【特許請求の範囲】
【請求項１】
管内撮影用のカメラと、その撮影箇所を照らす照明灯と、管内の水を吸引する吸引部とを取付けてある抽水ヘッドを、可撓性を備えた抽水ホースの先端側に設け、
前記カメラで撮影した画像のデータを、そのカメラに接続してある可撓性を備えたカメラケーブル経由で管外に送信し、送信された撮影画像により管外から管内を観察して、前記吸引部で管内の水を吸引し、その吸引した管内の水を前記抽水ホースを通して管外に排出するように構成してある管内抽水装置であって、
前記抽水ホースを、その長手方向に連通接続された複数の分割抽水ホースで構成するとともに、隣接する前記複数の分割抽水ホースどうしを着脱自在に連通接続するホース接続部を、前記分割抽水ホース夫々に設け、
前記カメラケーブルを、その長手方向に連通接続された複数の分割カメラケーブルで構成するとともに、隣接する前記複数の分割カメラケーブルどうしを着脱自在に連通接続するケーブル接続部を、前記分割カメラケーブル夫々に設け、
前記ホース接続部を第１カプラーと第２カプラーで構成し、前記ケーブル接続部を第１コネクターと第２コネクターで構成するとともに、前記第１カプラーに第１コネクターを、前記第２カプラーに第２コネクターを設けて、前記第１カプラーと第２カプラーを嵌合した際、隣接する分割抽水ホースどうしが抽水挿通孔を介して連通接続され、隣接する分割カメラケーブルどうしが前記第１コネクターと第２コネクターを介して接続されるように構成してある管内抽水装置。
【請求項２】
前記抽水ホースの内側に前記カメラケーブルを組み付けてある請求項１記載の管内抽水装置。
【発明の詳細な説明】
【０００１】
【発明の属する技術分野】
本発明は、地中に埋設してある配管内などの溜り水を抽水する管内抽水装置に関し、更に詳しくは、管内撮影用のカメラと、その撮影箇所を照らす照明灯と、管内の水を吸引する吸引部とを取付けてある抽水ヘッドを、可撓性を備えた抽水ホースの先端側に設け、前記カメラで撮影した画像のデータを、そのカメラに接続してある可撓性を備えたカメラケーブル経由で管外に送信し、送信された撮影画像により管外から管内を観察して、前記吸引部で管内の水を吸引し、その吸引した管内の水を前記抽水ホースを通して管外に排出するように構成してある管内抽水装置に関する。
【０００２】
【従来の技術】
図３に例示するように、地中に埋設された配管などの既設管Ａ内に溜っている水Ｗを抽水する管内抽水装置Ｃでは、管内撮影用のカメラ１と、その撮影箇所を照らす照明灯と、管内の水Ｗを吸引する吸引部３とを取付けてある抽水ヘッド４を、可撓性を備えた抽水ホース５の先端側に設けてある。そして、その抽水ヘッド４を既設管Ａ内に挿入し、カメラケーブル６経由で地上のモニター７に送信されるカメラ１の撮影画像により地上から管Ａ内を観察して、抽水ヘッド４を管Ａ内で移動させながら、その管Ａ内に溜っている水Ｗを探し、その水Ｗに吸引部３を入り込ませて、その水Ｗを抽水ホース５の後端側に取付けてあるポンプＰの駆動により、抽水ホース５を通して管Ａ外に排出できるように構成してある。
従って、抽水ヘッド４を管Ａ内に挿入する際には、抽水ヘッド４とともに抽水ホース５も管Ａ内に引き込まれて挿入される。しかし、どの付近に溜り水があるのかを予測するのは困難であり、既設管の配設具合も完全には把握し難いので、抽水作業前にどの程度の長さの抽水ホース５を管Ａ内に挿入させる必要があるのかを予め完全に判断するのは困難である。
このため、抽水ホース５は、従来、抽水ヘッド４を既設管Ａ内奥深くまで挿入し、管Ａ内に溜まっている水Ｗを抽水ホース５を通して管Ａ外に排出できるように、１種類の十分な長さの一定長のものに設定してあり、そして、その後端側からポンプＰの駆動により水Ｗを排出できるように構成してある。
【０００３】
【発明が解決しようとする課題】
しかし、上記管内抽水装置によれば、抽水すべき場所が、抽水ヘッドの挿入位置から比較的短い距離である場合には、抽水ホースが十分な長さの一定長に設定してあるから、必要以上に長い抽水ホースが作業の妨げとなり、作業性が悪いという問題がある。
また、そのように抽水ホースの管内への挿入長さが比較的短い場合でも、管内への挿入部分は短いにもかかわらず、管内に溜まっている水をポンプの駆動により一定長の抽水ホースの先端側から後端側まで通過させる必要があるため、圧力損失が大きく、抽水効率を向上させ難いという問題がある。
従って、本発明は上記実情に鑑みてなされたものであって、抽水すべき場所に応じて対応することができ、作業性良く、かつ、抽水効率良く抽水作業をすることができる管内抽水装置を提供することを目的とする。
【０００４】
【課題を解決するための手段】
請求項１記載の発明の特徴構成は図１，２に例示するごとく、管内撮影用のカメラ１と、その撮影箇所を照らす照明灯２と、管内の水Ｗを吸引する吸引部３とを取付けてある抽水ヘッド４を、可撓性を備えた抽水ホース５の先端側に設け、前記カメラ１で撮影した画像のデータを、そのカメラ１に接続してある可撓性を備えたカメラケーブル６経由で管外に送信し、送信された撮影画像により管外から管内を観察して、前記吸引部３で管内の水Ｗを吸引し、その吸引した管内の水Ｗを前記抽水ホース５を通して管外に排出するように構成してある管内抽水装置Ｃであって、
前記抽水ホース５を、その長手方向に連通接続された複数の分割抽水ホース８で構成するとともに、隣接する前記複数の分割抽水ホース８どうしを着脱自在に連通接続するホース接続部９を、前記分割抽水ホース８夫々に設けてあるところにある。
〔作用〕抽水ホースを、その長手方向に連通接続された複数の分割抽水ホースで構成するとともに、その分割抽水ホース夫々には、隣接する複数の分割抽水ホースどうしを着脱自在に連通接続するホース接続部を設けてあるので、その連通接続させる分割抽水ホースを必要長さ分の本数を接続連結することによって、抽水ホース全体の必要長さを調節することができる。
〔効果〕従って、抽水すべき場所に応じて、抽水ホースの長さを調節することにより対応することができ、抽水ホースが作業の妨げになるほど不必要に長くなることないので、作業性を向上させることができる。
更に、抽水すべき場所が、抽水ヘッドの挿入位置から比較的短い距離である場合には、連結する分割抽水ホースの本数を少なくして、抽水ホースの長さを短くし、ポンプの駆動により水を抽水ホースの後端側から排出するにあたって、圧力損失を小さくすることができる。つまり、抽水能力を向上させることができるので、抽水効率良く抽水作業をすることができる。
また、抽水すべき場所が、抽水ヘッドの挿入位置から予想以上に遠い距離である場合でも、連結する分割抽水ホースの本数を増やして、抽水ホースの長さを延長し、カメラによる管内の観察を続行して、管内抽水作業を行うこともできる。
【０００５】
更に、請求項１記載の発明の特徴構成は図１，２に例示するごとく、前記カメラケーブル６を、その長手方向に連通接続された複数の分割カメラケーブル２３で構成するとともに、隣接する前記複数の分割カメラケーブル２３どうしを着脱自在に連通接続するケーブル接続部２４を、前記分割カメラケーブル２３夫々に設けてあるところにある。
〔作用〕カメラケーブルを、その長手方向に連通接続された複数の分割カメラケーブルで構成するとともに、その分割カメラケーブル夫々には、隣接する複数の分割カメラケーブルどうしを着脱自在に連通接続する接続部を設けてあるので、その連通接続させる分割カメラケーブルを着脱することによって、カメラケーブルの長さの調節や、分割カメラケーブルの交換をも行うことができる。
〔効果〕従って、抽水すべき場所に応じて、カメラケーブルの長さも調節することにより対応することができ、作業性をより向上させることができる。
また、カメラケーブルの損傷が多い場合には、損傷した分割カメラケーブルのみを取り替えることができるので、そのメンテナンスを経済性良く行うことができる。
そして、請求項１記載の発明は、前記ホース接続部９を第１カプラー１１と第２カプラー１２で構成し、前記ケーブル接続部２４を第１コネクター２５と第２コネクター２６で構成するとともに、前記第１カプラー１１に第１コネクター２５を、前記第２カプラー１２に第２コネクター２６を設けて、前記第１カプラー１１と第２カプラー１２を嵌合した際、隣接する分割抽水ホース８どうしが抽水挿通孔１８を介して連通接続され、隣接する分割カメラケーブル２３どうしが前記第１コネクター２５と第２コネクター２６を介して接続されるように構成してあることも特徴構成とする。
【０００６】
請求項２記載の発明の特徴構成は図１，２に例示するごとく、前記抽水ホース５の内側に前記カメラケーブル６を組み付けてあるところにある。
〔作用〕カメラケーブルが管内面に直に接当したり擦られたりしないように、抽水ホースで保護することができる。
〔効果〕カメラケーブルの耐久性を高めることができる。
【０００７】
尚、上述のように、図面との対照を便利にするために符号を記したが、該記入により本発明は添付図面の構成に限定されるものではない。
【０００８】
【発明の実施の形態】
以下に本発明の実施の形態を図面に基づいて説明する。尚、図面において従来例と同一の符号で表示した部分は、同一又は相当の部分を示している。
【０００９】
図１に、本発明に係る管内抽水装置Ｃの一例を示す。管内抽水装置Ｃは、可撓性を備えた抽水ホース５の先端側に、管内撮影用のＣＣＤカメラ１と、その撮影箇所を照らす照明灯２と、管内の水を吸引する吸引部３とを取付けてある抽水ヘッド４を設けてある。その抽水ヘッド４を既設管内に挿入して、ＣＣＤカメラ１で撮影した画像のデータを、そのＣＣＤカメラ１に接続してある可撓性を備えたカメラケーブル６経由で管外に送信し、送信された撮影画像をモニター７により管外から管内を観察できるように構成してある。そして、管内に溜っている水Ｗを見つけたら、吸引部３をその溜っている水Ｗに入り込ませて、ポンプＰの駆動により、吸引した水Ｗを吸引部３から抽水ホース５を通して管外に排出するように構成してある。
【００１０】
前記抽水ホース５は、その長手方向に連通接続された複数の分割抽水ホース８で構成するとともに、隣接する複数の分割抽水ホース８どうしを着脱自在に連通接続するホース接続部９を、分割抽水ホース８夫々に設けてある。そして、分割抽水ホース８は、ポリエチレン樹脂で成形してあり、その内側にはカメラケーブル６を組み付けてある。
【００１１】
前記ホース接続部９は、図２に示すように、互いに嵌合自在に接合する第１カプラー１１と第２カプラー１２を用いて、以下のように構成してある。
前記第１カプラー１１、第２カプラー１２各々には、互いに嵌合する面側ではない方の端部の外周面に分割抽水ホース８を外嵌させるスリープ部１３を設けてあり、第１カプラー１１は分割抽水ホース８の後端部に、第２カプラー１２は分割抽水ホース８の前端部に嵌め込み固定してある。
そして、隣接する分割抽水ホース８どうしを連通接続するにあたっては、第１カプラー１１前端部の内周面を第１Ｏリング１４を挟んで第２カプラー１２前端部の外周面に外嵌接合させて、第１カプラー１１の外周面に形成した雌ネジ部１５に螺合する雄ネジ部１６を内面側に形成してあるリング状の締め付け部材１７によりネジ嵌合により固定し、第１カプラー１１と第２カプラー１２間を水密状態に嵌合するように構成してある。
【００１２】
そして、第１カプラー１１と第２カプラー１２を嵌合した際には、連通接続させた分割抽水ホース８間、すなわち、ホース接続部９で水Ｗを挿通させることができるように、第１カプラー１１内部には、ホース接続部９で水Ｗを挿通させるための抽水挿通孔１８を形成してあり、その抽水挿通孔１８から第２カプラー１２に向かって延伸させてある筒状の抽水ライン部材１９が、第２Ｏリング２０を挟んで第２カプラー１２内部に形成してある抽水ライン部材挿通孔２１に水密状態に嵌合するように構成して、隣接する分割抽水ホース８どうしが抽水挿通孔１８を介して連通接続されるように構成してある。
【００１３】
また、第１カプラー１１と第２カプラー１２各々には、嵌合した際に連通するように形成してあるカメラケーブル挿通孔２２にカメラケーブル６を挿通させてある。そして、カメラケーブル６は、その長手方向に連通接続された複数の分割カメラケーブル２３で構成するとともに、隣接する複数の分割カメラケーブル２３どうしを着脱自在に連通接続するケーブル接続部２４を、分割カメラケーブル２３夫々に設けてある。
【００１４】
前記ケーブル接続部２４は、第１カプラー１１と第２カプラー１２を嵌合したときに電気接続するように、カメラケーブル挿通孔２２の内面に形成された雌ネジ部２７に螺合固定してある第１コネクター２５と第２コネクター２６から構成してあり、第１カプラー１１に第１コネクター２５が、第２カプラー１２に第２コネクター２６が設けてある。そして第１コネクター２５と第２コネクター２６には、分割カメラケーブル２３が分割抽水ホース８内で十分な弛みをもたせて挿通するように接続してある。
前記分割カメラケーブル２３は画像データ送信用のケーブルと給電用のケーブルとからなり、カメラケーブル挿通孔２２から分割抽水ホース８内に延伸させてある筒状部材２８に水密状態に接続してあるナイロン製の保護管２９で水密状態に被覆してある。
【００１５】
このようにホース接続部９とケーブル接続部２４夫々を、隣接する複数の分割抽水ホース８、分割カメラケーブル２３を着脱自在に連通接続するように設けて、抽水すべき場所に応じて、抽水ホース長やカメラケーブル長を必要に応じた長さに調節して対応する。
すなわち、必要に応じた数の分割抽水ホース８を連通接続し、その最後端側を吸引ポンプＰが連結してあるカメラケーブル分岐部３０に接続して、抽水すべき場所が、抽水ヘッド４の挿入位置から比較的短い距離の場合には、吸引ポンプＰの駆動力が一定の状態であっても、抽水ホース５の長さを短くすることにより、圧力損失を小さくし、抽水効率を向上させることができる。
【００１６】
また、カメラケーブル６に損傷が生じた場合には、第１コネクター２５（第２コネクター２６）を第１カプラー１１（第２カプラー１２）から取外して、分割カメラケーブル２３を引きずり出すことにより、損傷部分の分割カメラケーブル２３や第１コネクター２５（第２コネクター２６）のみを交換することができるので、より経済的にメンテナンスを行うことができる。
【００１７】
〔別実施形態〕
以下に他の実施形態を説明する。
〈１〉先の実施形態で説明したホース接続部やケーブル接続部の構成は、一例であり、管外から管内を観察しながら溜まっている水を探し、その水を管外に排出する一連の管内抽水作業に支障がなければ、複数の分割抽水ホースどうしや複数の分割カメラケーブルどうしを着脱自在に連通接続できれば、如何なるものでも良い。
〈２〉抽水ホースとカメラケーブルとの関係は先の実施形態で説明した抽水ホース内にカメラケーブル組み付けてある構成に限るものではなく、例えば、カメラケーブルをカバー管により被覆して、そのカバー管外に抽水ホースを設ける構成や、そのカバー管内に抽水ホースを設ける構成などでも良い。
〈３〉分割抽水ホースや分割カメラケーブルの長さは、特に限定するものではなく適宜必要に応じた長さに設定すれば良いが、経験上１０〜３０ｍに設定しておけばより作業性が良い。
〈４〉抽水ヘッドは、抽水ホースの先端側に一体に設けてあっても、着脱自在に設けてあっても良い。
〈５〉抽水ヘッドは、管内をカメラにより撮影してその画像を管外に送信し、吸引部で吸引した水を抽水ホースに排出するように構成してあれば、如何なるものでも良い。
【図面の簡単な説明】
【図１】本発明に係る管内抽水装置の一例を示す構成説明図
【図２】図１に示した例の要部を説明する要部構成図
【図３】従来の管内抽水装置の使用例を示す構成説明図
【符号の説明】
１    カメラ
２    照明灯
３    吸引部
４    抽水ヘッド
５    抽水ホース
６    カメラケーブル
８    分割抽水ホース
９    ホース接続部
１１ 第１カプラー
１２ 第２カプラー
１８ 抽水挿通孔
２３  分割カメラケーブル
２４  ケーブル接続部
２５ 第１コネクター
２６ 第２コネクター
Ａ    既設管
Ｃ    管内抽水装置
Ｗ    水
【図１】
0004303862.tif 000002
【図２】
0004303862.tif 000003
【図３】
0004303862.tif 000004